(57)【要約】【課題】  捻りを解いて取り外した後でも容易に再利用可能なケーブル敷設クリップ１を提供する。【解決手段】  全体形状が略楕円形状で、両端部間がケーブルを挿入するための開閉口５となる有端輪状体が記憶された形状記憶合金よりなるケーブル敷設クリップ１であって、前記有端輪状体が、略楕円形状内の開閉口５から離れた側の長軸端にケーブルを固定するための第１の係合部１０と、略楕円形状内の開閉口５に近い側の長軸端に他のケーブルをその長手方向に摺動可能に係合するための第２の係合部１５と、第１の係合部１０と第２の係合部１５との間に敷設時に捻られることにより第１の係合部１０にケーブルを固定可能とする捻り部２０と、を備える。【選択図】図２
2006062817.tif 000002
【特許請求の範囲】
【請求項１】
全体形状が略楕円形状で、両端部間がケーブルを挿入するための開閉口となる有端輪状体が記憶された形状記憶合金よりなるケーブル敷設クリップであって、前記有端輪状体が、略楕円形状内の開閉口から離れた側の長軸端にケーブルを固定するための第１の係合部と、略楕円形状内の開閉口に近い側の長軸端に他のケーブルをその長手方向に摺動可能に係合するための第２の係合部と、第１の係合部と第２の係合部との間に敷設時に捻られることにより第１の係合部にケーブルを固定可能とする捻り部と、を備えたことを特徴とするケーブル敷設クリップ。
【請求項２】
前記開閉口が、有端輪状体の一端部を係止部とし、他端部を係止受け部とすることにより構成された係止構造であることを特徴とする請求項１に記載のケーブル敷設クリップ。
【請求項３】
前記第２の係合部の有端輪状体が、複数のケーブルを所定値以上の間隔で係合するための楕円形状の内側方向へのくびれを備えていることを特徴とする請求項１または２に記載のケーブル敷設クリップ。
【請求項４】
前記くびれと対向する位置に、前記開閉口が設けられていることを特徴とする請求項３に記載のケーブル敷設クリップ。
【発明の詳細な説明】
【技術分野】
【０００１】
本願発明は、主にエレベータのかごと昇降路内に設置された分電板とを繋ぐ複数のケーブルを結束するケーブル敷設クリップに関し、特に点検等のために着脱が度々行われるもので複数本のケーブルを所定の間隔で保持して固定するケーブル敷設クリップに関する。
【背景技術】
【０００２】
従来から、特開２０００−００１２７７号公報に示される如く、ケーブル敷設クリップは主にエレベータに用いられ、その構造としては略Ｕ字形状の線状体であって、略Ｕ字形状の内部奥方にケーブルを長手方向に摺動可能に係合するための係合部と、この略Ｕ字形状の内部先端にケーブルを固定するための係合部と、これらの係合部の間に敷設時に捻られることにより内部奥方に挿入されたケーブルを係合可能にする捻り部と、を有する構造を備えたケーブル敷設クリップが知られている。そして、この種のケーブル敷設クリップは主にバインド線と呼ばれる銅または鉄よりなる金属線が用いられている。また、敷設方法としては、長手方向に摺動可能に係合させるケーブルを筒状体で包囲し、このケーブルを包囲した筒状体を略Ｕ字形状であるケーブル敷設クリップの両端部間の開口より内部奥方へと挿入した後、捻り部を捻って上記ケーブルを長手方向に摺動可能に保持する。次に、ケーブル敷設クリップの内部の上記捻り部よりも先端側に、係合して固定されるケーブルを挿入し、ケーブル敷設クリップの両端部の近傍を捻ってこのケーブルを固定している。
【０００３】
しかしながら、このケーブル敷設クリップは捻り部および両端部の近傍を捻って塑性変形させることにより、各ケーブルを所定の間隔を空けて敷設しているものであり、点検時においてはペンチ等を用いて捻りを解き、ケーブル敷設クリップの取り外しを行うこととなる。そのため、取り外された後のケーブル敷設クリップの捻り部及び両端部の近傍の形状は複雑に塑性変形しており、再度敷設時に用いようとしても捻り部および両端部近傍にて緩みなく捻ることが難しく、また捻り量が多いとケーブル敷設クリップが切断されたりして、ケーブル敷設クリップの再利用が困難であった。
【特許文献１】特開２０００−００１２７７号公報
【発明の開示】
【発明が解決しようとする課題】
【０００４】
本願発明は、上記背景技術に鑑みて発明されたものであり、その課題は、捻りを解いて取り外した後でも容易に再利用可能なケーブル敷設クリップを提供することである。
【課題を解決するための手段】
【０００５】
上記課題を解決するために、本願発明は、全体形状が略楕円形状で、両端部間がケーブルを挿入するための開閉口となる有端輪状体が記憶された形状記憶合金よりなるケーブル敷設クリップであって、前記有端輪状体が、略楕円形状内の開閉口から離れた側の長軸端にケーブルを固定するための第１の係合部と、略楕円形状内の開閉口に近い側の長軸端に他のケーブルをその長手方向に摺動可能に係合するための第２の係合部と、第１の係合部と第２の係合部との間に敷設時に捻られることにより第１の係合部にケーブルを固定可能とする捻り部と、を備えている。
【発明の効果】
【０００６】
本願発明のケーブル敷設クリップにおいては、全体形状が略楕円形状で、両端部間がケーブルを挿入するための開閉口となる有端輪状体が記憶された形状記憶合金よりなるケーブル敷設クリップであり、かつケーブルの係合部の間に敷設時に捻られることによりケーブルを固定可能とする捻り部を備えているので、捻りを解いてケーブル敷設クリップを取り外した後でも熱を負荷してケーブル敷設クリップの全体形状を敷設前の形状に戻して、再度敷設する時に緩みなく捻ることが容易にできる。その為、ケーブル敷設クリップの再利用が可能となる。
【発明を実施するための最良の形態】
【０００７】
図１は、本願発明の請求項１から４の全てに対応した実施形態のケーブル敷設クリップ１を示している。また、図２は、上記実施形態のケーブル敷設クリップ１の取り付け方法を示している。更に、図３は、上記実施形態のケーブル敷設クリップ１が敷設されているエレベータ３０の縦断面図を示している。この実施形態で用いるケーブル敷設クリップ１は、全体形状が略楕円形状で、両端部間がケーブルを挿入するための開閉口５となる有端輪状体が記憶された形状記憶合金よりなるケーブル敷設クリップ１であって、前記有端輪状体が、略楕円形状内の開閉口５から離れた側の長軸端にケーブルを固定するための第１の係合部１０と、略楕円形状内の開閉口５に近い側の長軸端に他のケーブルをその長手方向に摺動可能に係合するための第２の係合部１５と、第１の係合部１０と第２の係合部１５との間に敷設時に捻られることにより第１の係合部１０にケーブルを固定可能とする捻り部２０と、を備えているものである。
【０００８】
又、開閉口５が、有端輪状体の一端部を係止部６とし、他端部を係止受け部７とすることにより構成された係止構造を備えているものである。
【０００９】
又、第２の係合部１５の有端輪状体が、複数のケーブルを所定値以上の間隔で係合するための楕円形状の内側方向へのくびれ１６を備えているものである。
【００１０】
又、くびれ１６と対向する位置に、開閉口５が設けられているものである。
【００１１】
以下、この実施形態のケーブル敷設クリップ１を、より具体的に説明する。この実施形態のケーブル敷設クリップ１は、主にエレベータ３０で用いられており、このときのエレベータ３０の構造（図３参照）としては概略以下のようなものである。昇降路３５に移動体であるかご４０と錘４５が、滑車５０に巻き掛けられたロープ５５を介して連結されて配置されており、この滑車５０に連結されているモータ（図示せず）を駆動することによりロープ５５を所望の方向に引張り、かご４０及び錘４５を上下移動させているものである。そして、かご４０の上には制御装置６０が備えられており、この制御装置６０はかご４０および各階に設けられた行き先ボタンまたは呼出しボタンのＯＮ／ＯＦＦ状態を検知して、滑車５０に連結されているモータを駆動するための信号処理を行い、この処理された信号をモータへと伝達している。そして、この外部との信号の授受のために制御装置６０にはケーブル（制御線）２６が取り付けられている。また、かご４０には、扉の開閉装置（図示せず）および照明装置（図示せず）に電力を供給するためのケーブル（電力線）２５および非常時に外部と通話するためのケーブル（電話線）２７も取り付けられている。そして、これらのケーブルはかご４０の下方に垂下されており、この実施形態のケーブル敷設クリップ１によって、所定の間隔を保持しつつケーブル（制御線）２６とケーブル（電話線）２７はその長手方向に摺動可能となるようにケーブル（電力線）２５に固定されている。そして、昇降路３５の中央部に設置された端子板６５を経由して、昇降路３５の下方の分電板７０にこれらのケーブルは取り付けられている。このとき、ケーブル（電力線）２５に対してケーブル（制御線）２６とケーブル（電話線）２７をその長手方向に相対的に移動可能に保持しているので、図３のＡ部に示すようなケーブル同士の曲げ半径が異なる部分において、ケーブル同士が力を及ぼしあって揺動することを抑えることができる。
【００１２】
次に、この実施形態のケーブル敷設クリップ１の構造に関して図１を用いて説明する。この実施形態のケーブル敷設クリップ１は、全体形状が略楕円形状の有体輪状体よりなっており、略楕円形状であるケーブル敷設クリップ１の内部は所望のケーブルを複数挿入することができるように、挿入するケーブルの中で最も径の大きいケーブルよりも大きな短径と、挿入するケーブルの径を加算した合計の長さよりも大きな長径を備えており、その断面の径は複数回の捻りに耐えられるようにφ２．０ｍｍ程度のものとなっている。また、この実施形態のケーブル敷設クリップ１は、有体輪状体であるケーブル敷設クリップ１の両端部間にあるケーブルを挿入するための開閉口５と、略楕円形状内の開閉口５から離れた側の長軸端にケーブルを固定するための第１の係合部１０と、略楕円形状内の開閉口５に近い側の長軸端に他のケーブルをその長手方向に摺動可能に係合するための第２の係合部１５と、第１の係合部１０と第２の係合部１５との間に敷設時に捻られることにより第１の係合部１０にケーブルを固定可能とする捻り部２０と、を備えている。また、第２の係合部１５には複数のケーブルを所定値以上の間隔で係合することが可能なように、対向する位置に楕円形状の内側方向へのくびれ１６を備えている。そして、このくびれ１６は第２の係合部１５に挿入されるケーブルがくびれ１６を乗り越えて移動することが困難なものとなっている。さらに、このくびれ１６の一方には有体輪状体であるケーブル敷設クリップ１の両端部が設けられており、一方の端部が係止部６でかつ他方の端部が係止受け部７となっており、力が負荷されていない状態ではこの係止部６と係止受け部７とで両端間が閉じられた構造となっている。そして、この係止部６にケーブル敷設クリップ１の外部方向に向かって力を負荷することにより、ケーブル敷設クリップ１の内部にケーブルを挿入するための開口を設けることができるものとなっている。また、このケーブル敷設クリップ１を構成する材質としてはＮｉＴｉ合金よりなる線状体の形状記憶合金が用いられており、４００度以上で１時間程度加熱されて上記形状が記憶されており、使用時に記憶した形状に戻すための加熱温度となる変態温度は８０度程度となっている。
【００１３】
更に、この実施形態のケーブル敷設クリップ１を用いてケーブルを敷設する方法について図２を用いて説明する。まず、図２（ａ）に示すように、係止部６にケーブル敷設クリップ１の外部方向に向かって力を負荷して開閉口５を開口してケーブル（電力線）２５をケーブル敷設クリップ１の内部に挿入した後、第１の係合部１０の略楕円形状であるケーブル敷設クリップ１の長軸端の近傍にケーブル（電力線）２５を押し当てるように配置する。そして、図２（ｂ）に示すように第２の係合部１５に、その長手方向を回転軸とする回転力（モーメント力）を負荷して、捻り部２０を捻って塑性変形させる。このときの捻り量としては、ケーブル敷設クリップ１が重力・振動等により上下方向に移動することがなく、かつ力を負荷することにより移動可能なように調整する。最後に、図２（ｃ）に示すように外力を負荷してケーブル（電力線）２５の軸心を中心軸にケーブル敷設クリップ１を回転させてケーブル（制御線）２６およびケーブル（電話線）２７をその内部に挿入可能なところまで移動させ、再度開閉口５を開口してケーブル（制御線）２６およびケーブル（電話線）２７をくびれ１６の左右に分けて挿入する。また、ケーブル敷設クリップ１を取り外す方法は、上記取り付け方法とは逆に、開閉口５を開口してケーブル（制御線）２６およびケーブル（電話線）２７をケーブル敷設クリップ１の内部より取り出した後、ケーブル（電力線）２５の軸心を中心軸としてケーブル敷設クリップ１を回転させる。その後、第２の係合部１５に、その長手方向を回転軸とする回転力（モーメント力）を負荷して捻り部２０の捻りを解いた後、開閉口５を開口してケーブル（電力線）２５をケーブル敷設クリップ１の内部より取り出すものである。そして、取り出されたケーブル敷設クリップ１を半田ごて等を用いて変態温度（約８０度）以上に加熱することにより、ケーブル敷設クリップ１を記憶した形状に戻して再利用可能な状態とするものである。
【００１４】
以上の構成を備えることにより、全体形状が略楕円形状で、両端部間がケーブルを挿入するための開閉口５となる有端輪状体が記憶された形状記憶合金よりなるケーブル敷設クリップ１であり、かつケーブルの係合部の間に敷設時に捻られることによりケーブルを固定可能とする捻り部２０を備えているので、捻りを解いてケーブル敷設クリップ１を取り外した後でも複雑に塑性変形したケーブル敷設クリップ１に熱を負荷して、ケーブル敷設クリップ１の全体形状を敷設前の形状に戻すことができて、再度敷設する時に緩みなく捻ることが容易にでき、ケーブル敷設クリップ１の再利用が可能となる。
【００１５】
又、開閉口５が、有端輪状体の一端部を係止部６とし、他端部を係止受け部７とすることにより構成された係止構造であるので、係止部６の近傍に力を負荷・解除することにより有端輪状体よりなるケーブル敷設クリップ１の両端間を容易に開口・閉口とすることができ、ケーブル敷設クリップ１の内部へのケーブルの挿入・取り外しが容易となる。
【００１６】
又、第２の係合部１５の有端輪状体が、複数のケーブルを所定値以上の間隔で係合するための楕円形状の内側方向へのくびれ１６を備えているので、３本以上のケーブルを所定の間隔で保持して固定することが可能となる。
【００１７】
又、くびれ１６と対向する位置に、前記開閉口５が設けられているので、第２の係合部１５に２本以上のケーブルを挿入するに際して、くびれ１６の両側に容易にケーブルを挿入することが可能となる。
【図面の簡単な説明】
【００１８】
【図１】本願発明の実施形態に係るケーブル敷設クリップの正面図。
【図２】本願発明の実施形態に係るケーブル敷設クリップの敷設方法を示す工程図。
【図３】本願発明の実施形態に係るケーブル敷設クリップを用いたエレベータの縦断面図。
【符号の説明】
【００１９】
１    ケーブル敷設クリップ
５    開閉口
６    係止部
７    係止受け部
１０  第１の係合部
１５  第２の係合部
１６  くびれ
２０  捻り部
２５  ケーブル（電力線）
２６  ケーブル（制御線）
２７  ケーブル（電話線）
３０  エレベータ
３５  昇降路
４０  かご
４５  錘
５０  滑車
５５  ロープ
６０  制御装置
６５  端子板
７０  分電板
【図１】
2006062817.tif 000003
【図２】
2006062817.tif 000004
【図３】
2006062817.tif 000005